(57)【要約】【課題】不揃いな原稿から得た画像データであっても、ユーザーにとって見易い表示が可能な画像データを生成する技術を提供する。【解決手段】原稿の表画像データ及び裏画像データを取得する取得手段と、前記取得手段が取得する各画像データの四隅のうち２つ以上の隅部にマークを付与するマーク付与手段と、前記マーク付与手段によるマーク付与の位置を設定するマーク位置設定手段と、を備え、前記マーク位置設定手段は、前記表画像データに付与する表マークの位置と、前記裏画像データに付与する裏マークの位置とが表裏で異なるように設定可能である画像処理装置とする。【選択図】図３
2017208626.tif 000002
【特許請求の範囲】
【請求項１】
原稿の表画像データ及び裏画像データを取得する取得手段と、
前記取得手段が取得する各画像データの四隅のうち２つ以上の隅部にマークを付与するマーク付与手段と、
前記マーク付与手段によるマーク付与の位置を設定するマーク位置設定手段と、を備え、
前記マーク位置設定手段は、前記表画像データに付与する表マークの位置と、前記裏画像データに付与する裏マークの位置とが表裏で異なるように設定可能であることを特徴とする画像処理装置。
【請求項２】
前記取得手段が取得する各画像データに対して余白領域を追加する余白追加手段を更に備え、
前記マーク付与手段は、前記余白追加手段により余白が追加された後の画像データに対し、前記マーク位置設定手段の設定に基づく位置にマークを付与することを特徴とする請求項１に記載の画像処理装置。
【請求項３】
前記マーク付与手段は、前記取得手段が取得する各画像データの余白量に基づいて、前記各画像データの隅から内側の位置であって、前記マーク位置設定手段の設定に基づく位置にマークを付与することを特徴とする請求項１に記載の画像処理装置。
【請求項４】
前記取得手段が取得する各画像データの傾きに基づいて斜行補正を行う斜行補正手段を更に備え、
前記マーク付与手段は、前記斜行補正手段の補正後の画像データに対し、前記マーク位置設定手段の設定に基づく位置にマークを付与することを特徴とする請求項１に記載の画像処理装置。
【請求項５】
前記取得手段が取得する各画像データに含まれる孤立点を除去する孤立点除去手段を更に備え、
前記孤立点除去手段は、前記マーク付与手段が付与したマークを基準としてマークの外側の領域に存在する孤立点を除去することを特徴とする請求項１乃至４のいずれか１項に記載の画像処理装置。
【請求項６】
請求項１乃至５のいずれか１項に記載の画像処理装置を備え、原稿を搬送しながら画像を読み取って得た画像データに対して前記画像処理装置により画像処理を施すことを特徴とする画像読取装置。
【請求項７】
原稿から画像を読み取る画像読取装置と、前記画像読取装置に接続された情報処理装置とから構成され、請求項１乃至５のいずれか１項に記載の画像処理装置が前記情報処理装置により構成されることを特徴とする画像読取システム。
【発明の詳細な説明】
【技術分野】
【０００１】
本発明は、例えば、スキャナや複合機やファックスのように、原稿の画像を読み取り、画像データを作成する画像読取装置や、画像データを処理するための画像処理装置、画像処理方法、あるいは画像読取システムに関する。
【背景技術】
【０００２】
スキャナ等の画像読取装置のユーザーが、書籍を裁断してスキャンし、画像データに変換する「自炊」が注目されている。また、携帯型画像表示端末が普及したことにより、自炊で作成した画像データを端末で持ち出し、外出先で利用するユーザーも増えている。
【先行技術文献】
【特許文献】
【０００３】
【特許文献１】特開平７−３１４８４４号公報
【特許文献２】特開平１１−２３５５４９号公報
【発明の概要】
【発明が解決しようとする課題】
【０００４】
従来のように、書籍を裁断する場合、表裏で左右の余白サイズが異なってしまうことが多く、書籍裁断により分離した紙の表裏を読み取って画像データに変換すると、左右不揃いな画像データが生成されてしまうため、そのままディスプレイ等に表示すると見難い表示形態となる。
【０００５】
なお、書籍を裁断するにあたり、従来公知のトンボマーク（特許文献１、２参照）を紙面に印刷することにより、不揃いな画像データの生成を防ぐことができるかもしれないが、裁断前にトンボマークを印刷するか、予めトンボマークを印刷しておかなければならず、手間がかかる。
【０００６】
本発明は、不揃いな原稿から得た画像データであっても、ユーザーにとって見易い表示が可能な画像データを生成する技術を提供する。
【課題を解決するための手段】
【０００７】
本発明は、原稿の表画像データ及び裏画像データを取得する取得手段と、前記取得手段が取得する各画像データの四隅のうち２つ以上の隅部にマークを付与するマーク付与手段と、前記マーク付与手段によるマーク付与の位置を設定するマーク位置設定手段と、を備え、前記マーク位置設定手段は、前記表画像データに付与する表マークの位置と、前記裏画像データに付与する裏マークの位置とが表裏で異なるように設定可能であることを特徴とする画像処理装置にある。
【発明の効果】
【０００８】
本発明によれば、不揃いな原稿から得た画像データであっても、ユーザーにとって見易い表示が可能な画像データを生成する画像処理装置及び画像読取装置並びに画像読取システムを実現できる。
【図面の簡単な説明】
【０００９】
【図１】本発明の実施形態１に係る画像読取装置の構成例を示す平面図。
【図２】本発明の実施形態１に係る画像読取装置の別の構成例を示す平面図。
【図３】本発明の実施形態１に係る画像読取装置の機能ブロック図。
【図４】本発明の実施形態１に係るマーク追加システムの構成例を示すブロック図。
【図５】本発明の実施形態１に係るマーク追加システムの動作例を示すフローチャート、
【図６】本発明のマーク形状例を示す概略図。
【図７】本発明の実施形態２にマーク追加システムの構成例を示すブロック図。
【図８】本発明の実施形態２に係るマーク追加システムの動作例を示すフローチャート。
【図９】本発明の実施形態２に係るマーク追加システムの構成例を示すブロック図。
【図１０】本発明の実施形態３に係るマーク追加システムの動作例を示すフローチャート。
【発明を実施するための形態】
【００１０】
以下、添付図面を参照し、本発明の好適な実施形態について説明する。なお、以下説明する実施形態は、本発明を具体的に実施した場合の一例を示すもので、特許請求の範囲に記載の構成の具体的な実施例の1つである。
＜実施形態１＞
先ず、本実施形態に係る画像読取装置の構成例について、図１及び図２を用いて説明する。
【００１１】
本実施形態では、例えば、図１又は図２に示すような画像読取装置を例示して説明するが、その他の画像読取装置において取得した画像データの処理についても本発明の処理対象とすることが可能である。
【００１２】
図１に示す画像読取装置１は、複数枚の原稿を一枚ずつ分離搬送して画像を読み取るシートフィード型スキャナである。
【００１３】
２は原稿を積載する原稿台である。３は原稿を搬送路に取り込む給紙ローラである。４は原稿を一枚ずつ分離する分離パッドである。この分離パッド４が二枚目以降の原稿を抑えて搬送路に入らないようにすることで、原稿を１枚ずつ搬送することができる。
【００１４】
５は搬送路である。６は搬送ローラ対である。原稿は搬送ローラ対６によって搬送路５を１枚ずつ搬送されていく。
【００１５】
また、７は画像読取部である。原稿に光を照射し、その反射光をレンズで集光して光電変換素子にて受光することで、アナログ画像データを作成する。
【００１６】
また、このような画像読取部７を搬送路の上下に配置することで、一度の搬送で原稿両面の画像を読み取ることができる。
【００１７】
８は排紙ローラ対である。原稿は排紙ローラ対８によって搬送路５から排出される。
【００１８】
なお、画像読取部７が読み取った画像データは、１ページまたは複数ページで構成されている。なお、画像処理部１０は、一部または全ての機能を、画像読取装置１の中ではなく、パソコン等の外部装置の中に設けても良い。
【００１９】
この画像読取装置１は、画像読取部７を搬送路の上下に二個配置することで、一度の搬送で原稿両面の画像を読み取ることができる１パス両面読取スキャナである。
【００２０】
このような画像読取装置１の場合、一度の搬送で原稿の両面画像を読み取れるが、画像読取部７を２つ設けなければならない。これに対し、図２に示す画像読取装置２１は、１つの画像読取部７を搬送路の片側だけに配置し、原稿を一度搬送してまず片面を読み取った後、裏返して再び搬送させることで両面を読み取る２パス両面読取スキャナである。
【００２１】
図２を用いて、この２パス両面読取スキャナの動作を説明する。図１の画像読取装置１と同じ構成には、同じ番号を付けることで説明を省略する。
【００２２】
２１は、２パス両面読取方式のシートフィード型画像読取装置の平面図である。原稿の通過する順に沿って動作を説明する。２２は、搬送路切替手段である。搬送路内を上下に移動することができる。
【００２３】
図中下側に移動すると搬送路の図中左側から搬送される原稿を図中右側に搬送させる。
【００２４】
原稿は、画像読取手段７の上を通過し、表面の画像を読み取る。２３は、表裏反転搬送手段である。
【００２５】
搬送路の左側から来た原稿は、表裏反転手段２３を反時計回りに通過することで表裏が逆転し、再び搬送路を右から左に通過する。
【００２６】
そして、原稿は、再び画像読取手段７の上を通過し、先ほど読み取った面と逆側の面を画像読取手段7で読み取る。
【００２７】
搬送路切替手段２２は、図中下側移動することで、搬送路の図中右側から来た原稿を下側に搬送する。２４は、排紙トレイである。図中下側に排紙された原稿は、排紙トレイ２４に順次積載される。
【００２８】
なお、２パス両面読取スキャナでは、原稿の表裏を反転させる動作は、表裏反転手段を設けて行わせても良いし、表裏反転装置を設けずにユーザーが手動で置き直しても良い。
【００２９】
他にも、フラットベッドスキャナのように１度に読み取れる画像は１ページのみだが、順次読み取った画像から複数ページの画像データを作成するなどの方法でもよく、原稿の両面を読み取る方法は様々な方法がある。
【００３０】
このため、本発明を適応させる画像読取装置は、上述した図１又は図２のような形態に限定されず、複数ページの画像データを作成出来るものであれば、方式は問わない。
【００３１】
ここで、図３を参照し、上述した画像読取装置の機能を説明する。なお、図３は、上述した画像読取装置１，２１の機能ブロック図である。
【００３２】
図３において、制御部１１５は、ＲＡＭ１１６をワークメモリとして、不揮発性メモリ１１１に格納された各種制御プログラムを実行して、画像読取装置の様々な制御を行う。また、制御部１１５は、通信インターフェース１１７を介して、コンピュータ１１８などの外部装置との間で通信を行う。
【００３３】
画像読取制御部１１２は、画像読取部７に対し原稿画像の読み取りを指示し、読み込まれた画像を画像データに変換し、画像データをＲＡＭ１１６に格納する。画像処理部１１４は、ＲＡＭ１６に格納された画像データに種々の画像処理を施す。ＲＡＭ１１６は、原稿画像の画像データのほかに各種設定値を格納する。
【００３４】
次に、画像読取処理の一例について説明する。制御部１１１５は、コンピュータ１１８から原稿画像の読取処理が指示されると、図示しないモータにより搬送駆動系を駆動する。
【００３５】
制御部１１５は、画像読取部７前のセンサによって原稿の先端を検知すると、画像読取部１１２に読取開始を指示する。画像読取制御１１２は、読取開始が指示されると、画像読取部７によって原稿の両面画像の画像データを取得し、取得した画像データをＲＡＭ１１６に保存する。制御部１１５は、排出センサによって原稿の末端を検知し、原稿を装置外へ排出するよう搬送系を制御する。
【００３６】
制御部１１５は、ＲＡＭ１１６に画像データが保存されると、画像処理部１１４に画像データの画像処理を指示する。画像処理部１１４は、画像処理が指示されるとシェーディング補正、色補正などの種々の画像処理を画像データに施す。制御部１１５は、画像処理部１１４による画像処理が終わると、ＲＡＭ１１６に格納された画像データを、通信インターフェース１１７を介してコンピュータ１１８に送信し、読取処理を終了する。
【００３７】
ここで、画像読取部７で作成したアナログ画像データをＡ／Ｄ変換部により変換されたデジタル画像データが、上述した画像処理部１１４に入力され、この画像処理部１１４にて、後述するマークを付加したり、ＯＣＲ文字データを付加したり、画像データを圧縮したりする。
【００３８】
次に、上述した画像処理部１１４の一部を構成するマーク追加システムの構成例について、図４のブロック図を用いて説明する。
【００３９】
マーク追加システム１００は先出の画像処理部１１４の一部であり、画像データ入力部１０１と、画像データの四隅を検出する四隅検出部１０２と、隅もしくは隅より内側の位置に特定のマークを付加するマーク付加部１０３と、マークの形状や追加位置を登録するマーク情報登録部１０４と、画像データ出力部１０５と、を備える。
【００４０】
ここで、マーク情報登録部１０４は、原稿の両面を読み取って取得した表画像データ及び裏画像データに対して付与するマークの付与位置を設定するマーク位置設定手段の一例であり、表画像データに付与する表マークの位置と、裏画像データに付与する裏マークの位置とが表裏で異なるように設定可能である。ここでいう設定とは、例えば、ユーザーがコンピュータ等のディスプレイに表示されたユーザインターフェース画面から指定する設定行為を含む。
【００４１】
次いで、各部の動作を、図５のフローチャートを用いて説明する。
【００４２】
ステップＳ１０１では、本システムで処理を行いたい画像データを、画像データ入力部１０１に入力する。
【００４３】
ここで、画像データは単一ページの場合と複数ページの場合が考えられるが、複数ページの場合について説明を行えば単一ページの説明も含むことが出来ることと、本システムの効果をより得られるのは複数ベージの場合であることから、これ以降画像データは複数ページとして説明する。
【００４４】
画像データ入力部１０１に入力された画像データは、四隅検出部１０２に送られる。
【００４５】
ステップＳ１０２では、画像データの四隅を四隅検出部１０２で検出する。四隅の検出方法の一例として、画像データと背景データの境界部分のエッジを利用する方法などが知られている。
【００４６】
四隅検出部で四隅を検出した画像データは、マーク付加部１０３に送られる。
【００４７】
ステップＳ１０３では、マーク付加部１０３が、マーク登録部１０４に登録されたマーク情報を参照する。ここで、マーク情報とは、ユーザーによって登録されたマークの情報であり、マーク形状、マーク追加位置、マーク追加個数、マーク追加位置周辺の画像処理方法、表面ページ裏面ページでのマーク変更内容、などが含まれる。
【００４８】
ステップＳ１０４では、マーク付加部１０３が、マーク情報と四隅検出部１０２の検出結果をもとにして、画像データにマークを追加する。続いて、追加するマーク形状、追加位置、追加個数、追加位置周辺の画像処理方法について説明する。
【００４９】
マークの形状は、図６に示すようなカギカッコ型や三角形型、裁断位置を表わすために広く用いられているトンボ型などから選択出来るようにしても良く、ユーザーが作成したマークを用いても良い。
【００５０】
マークの追加位置は、カギカッコ型などは画像データの隅に配置することが可能だが、トンボ型などは隅に配置出来ずに内側に配置することになる。内側に配置する場合は、どの程度内側に配置するかをユーザーが設定することが出来るようにしても良い。
【００５１】
マークの追加位置周辺の画像処理方法として、トンボ型などのように、画像データの隅ではなく内側にマークを追加する場合、追加する位置の画像データの濃度が濃いときには、マークを追加しても見えない場合が考えられる。
【００５２】
そこで、追加する位置の画像データの濃度を薄くしてから、マークを追加する処理を行う。別の例として、マークを追加する位置の画像データの濃度が濃い場合には、マークの色を淡色、例えば白色や、黒縁白抜きにして、追加しても良い。
【００５３】
マークの個数は、四隅に追加する以外に三隅や対角二隅でも良い。端末の表示部は長方形の場合が多いため、少なくとも対角二隅にマークが追加されていれば、自動拡大表示した時の拡大率を揃える事が出来るので、個数は二個以上であれば良い。
【００５４】
次に、表面ページ裏面ページでのマークの追加位置と、形状の変更について説明する。これより、原稿が書籍の場合を例に挙げて説明を行うため、表面ページ裏面ページを、偶数ページ奇数ページと表現することにする。
【００５５】
ここで、原稿が書籍を裁断したものの場合などは、綴じしろがあるため、偶数ページと奇数ページで綴じしろ分の余白量が異なる場合がある。このため、スキャンした画像データを端末で表示させると、偶数ページと奇数ページで画像が寄る方向が変わってしまい、見づらい場合がある。
【００５６】
そこで、綴じしろ側の、余白の長いぶんを削除して表示させるために、偶数ページと奇数ページでマークの追加位置を変更する。
【００５７】
綴じしろ側に追加するマークをどれだけ内側に移動させるかは、ユーザーが設定することが出来る。移動量は、偶数ページと奇数ページそれぞれ設定出来るようにしても良く、片方を設定すると他方は対象な値を用いるようにしても良い。
【００５８】
また、原稿となった書籍がどの方向から開く書籍かを登録しておくことが出来る。書籍は左右方向に読み進める物が多いので左右方向を例に説明する。
【００５９】
端末の表示画面が長方形で、横長に使用した場合、２ページを同時に表示させることで、画像データを本のように見開き表示させることが出来るようになる。
【００６０】
左から開く書籍の場合は、左側に偶数ページ,右側に奇数ページを表示させる。右から開く書籍の場合は、右側に偶数ページ,左側に奇数ページを表示させる。結果、書籍のような見開き状態で端末に画像データを表示させることが出来る。
【００６１】
例えば左から開く書籍の場合は右上のマークに右向きの矢印を追加し、右から開く書籍の場合は左上のマークに左向きの矢印を追加することで、端末に認識させるようにしても良い。これには端末側にも認識ソフトを導入すればよい。
【００６２】
また、追加するマークの形状を、偶数ページと奇数ページで変えても良い。もし書籍を裁断して画像を読み取ったときに、白紙ページを保存しない白紙スキップ機能を使用して画像データを作成した場合には、各ページの画像データがもともと偶数ページだったのか、奇数ページだったのかがわからなくなってしまう。
【００６３】
このため、右から開く書籍,左から開く書籍を登録しただけでは、見開き状態で正しく表示させることが出来ない場合がある。
【００６４】
そこで、追加するマークを偶数ページと奇数ページで変更する。例えば偶数ページは右下の隅を三角形マーク,他の隅をカギカッコマークにし、奇数ページは左下の隅を三角形マーク,他の隅をカギカッコマークにする。
【００６５】
他には、偶数ページは右下の隅のマークをなくして他の隅をカギカッコマークにし、奇数ページは左下の隅のマークをなくして他の隅をカギカッコマークにする。
【００６６】
すると、偶数ページもしくは奇数ページが連続した場合は、間に白紙ページがあったと考えられるため、見開き表示させた場合に白紙スキップで削除された画像データを補完して表示させることで、もとの書籍のような見開き表示をさせることが出来る。
【００６７】
これまでマークの形状を変更する例を挙げて来たが、形状の代わりに色を変更することでも、同等の効果を得ることが出来る。ただし表示端末がカラー情報を識別出来る必要がある。
【００６８】
また、原稿が書籍の場合には、原稿のサイズが全ページでほぼ一定であることを利用して、検知した原稿長・幅の中に極端に異なる原稿長・幅があった場合にスキャンを中止させ、ユーザーに知らせるようにしても良い。
【００６９】
これには、通常の混載文書スキャンモードとは別に、本機能を実施する為の書籍スキャンモードを切り替え可能に設け、書籍スキャンモードがユーザーによって選択された場合に限り、実施するようにしても良い。
【００７０】
他にも、原稿が書籍の場合には、全ページをスキャンしてから四隅検知処理をするようにしても良い。原稿のサイズが全ページでほぼ一定であることを利用して、全ページの原稿長・幅の検知結果を使い、各ページの原稿長・幅を修正することが出来る。
【００７１】
例えば、他のページと比較して極端に原稿長や幅が大きいと検出されたページに対しては、サイズ検知に失敗したと判断して、前後のページの原稿長・幅のちょうど中間値になるように修正する。
【００７２】
こうすることで、書籍のページごとの微妙な原稿幅の違いや、裁断時に斜めに裁断してしまった事による原稿幅の違いなどをうまく吸収し、連続するページの原稿幅に違和感を覚えさせない画像を出力する事ができる。
【００７３】
なお、本発明を画像読取装置ではなく画像処理装置に適応した場合などにおいて、白紙スキップ機能を使用して作成された画像データは、各ページがもとの原稿で表面画像だったのか裏面画像だったのか、わからない場合がある。
【００７４】
この場合、例えば画像データの左右の余白量を検出し、右側の余白が多いページを表面画像、左側の余白が多いページを裏面画像と判断して、表面画像用の画像処理と裏面画像用の画像処理のどちらを行うか決めても良い。
【００７５】
＜実施形態２＞
本実施形態では、画像データを携帯型表示端末に表示させるとき、ユーザーが望んだ方向に寄せて表示出来る画像データを作成する。
【００７６】
本実施形態に係るシステムの構成例について、図７のブロック図を用いて説明する。
【００７７】
システム２００は、実施形態１のシステム１００に加えて、画像データを寄せたい方向を登録する寄せ方向登録部２０１と、画像データを表示させる端末画面の縦横比情報を登録する縦横比登録部２０２と、余白付加量算出部２０３と、余白付加部２０４を有することが特徴である。
【００７８】
余白付加部２０４は、実施形態１の構成の、四隅検出部１０２とマーク追加部１０３の間に入る。
【００７９】
寄せ方向登録部２０１には、ユーザーが画像データを寄せたい方向を予め登録しておく。
【００８０】
例えば、表示端末の下側を持って使用するユーザーが、画像を上に寄せたいと思っている場合には、上側と登録する。
【００８１】
上下左右の四種類の中から一種類を選択して登録出来るようにしても良い。
【００８２】
縦横比登録部２０２には、画像データを表示させる端末画面の縦横比を登録する。複数種類登録しておき、その中から選択出来るようにしても良い。
【００８３】
余白付加量算出部２０３は、画像データに余白を付加した後の縦横比が、縦横比登録部２０２に登録された端末画面の縦横比と同じになるように、余白の付加量を計算する。
【００８４】
余白付加部２０４は、寄せ方向登録部２０１に登録された方向と反対側に、余白付加量算出部２０３で算出した余白を付加する。結果、寄せたい方向に寄せられた画像データを作成出来る。
【００８５】
さらにマーク追加部１０３によって画像データの隅にマークを追加することで、自動拡大表示させても付加した余白が削除されず、見やすい画像を作成出来る。
【００８６】
各部の動作手順を、図８のフローチャートを用いて説明する。
【００８７】
ステップＳ２０１で、画像処理を行いたい画像データを読み込む。次にステップＳ２０２で、予めユーザーが登録した寄せ方向を、寄せ方向登録部２０１から読み出す。
【００８８】
ステップＳ２０３で、予めユーザーが登録した、表示画面の縦横比を、縦横比登録部２０２から読みだす。
【００８９】
ステップＳ２０４で、余白付加量算出部２０３は、登録された縦横比と読みだした画像データの縦横比から画像データに追加する余白の長さを計算する。
【００９０】
ここで、余白付加量算出部２０３の余白量算出手順について説明する。例えば上寄せで表示させたい場合には、画像の下側に余白を付加する。余白の付加量は、画像データの縦横比をＡ：Ｂとし、端末の縦横比をＣ：Ｄとし、画像データに付加する余白量をα（アルファ）とすると、αは以下の計算で求めることが出来る。
（Ａ＋α）：Ｂ＝Ｃ：Ｄ
⇒  （Ａ＋α）×Ｄ＝Ｂ×Ｃ
⇒  Ａ＋α＝（Ｂ×Ｃ）／Ｄ
⇒  α＝（（Ｂ×Ｃ）／Ｄ）−Ａ
【００９１】
画像の下側に余白をαだけ付加して、四隅にマークを追加することで、端末に表示させたときに上寄せで、かつ端末画面の縦横比が同じ画像サイズで表示させることが出来る。
【００９２】
ここでは寄せ方向が上寄せで、余白を下側に追加する計算例を示したが、寄せ方向が下側で、余白を上側に追加する場合にも同じ式から計算出来る。
【００９３】
同様に、右寄せで表示させたい場合には、左側に余白を付加する。余白の付加量は、画像データの縦横比をＡ：Ｂとし、端末の縦横比をＣ：Ｄとし、画像データに付加する余白量をβ（ベータ）として、βは以下の計算で求めることが出来る。
Ａ：（Ｂ＋β）＝Ｃ：Ｄ
⇒  （Ｂ＋β）×Ｃ＝Ａ×Ｄ
⇒  Ｂ＋β＝（Ａ×Ｄ）／Ｃ
⇒  β＝（Ａ×Ｄ）／Ｃ−Ｂ
【００９４】
画像の左側に余白をβだけ付加して、四隅にマークを追加することで、端末に表示させたときに右寄せで、かつ端末画面の縦横比と同じ画像サイズで表示させることが出来る。
【００９５】
ここでは寄せ方向が右寄せで、余白を左側に追加する計算例を示したが、寄せ方向が左側で、余白を右側に追加する場合にも同じ式から計算出来る。
【００９６】
ステップＳ２０５で、ユーザーが登録した寄せ情報の逆端側に、ステップＳ２０３で計算した長さの余白を付加する。例えば寄せたい方向が上であった場合は、下側に余白を追加する。
【００９７】
結果、表示装置には上寄りの画像が表示される。ここからは実施形態１と同じである。
【００９８】
ステップＳ２０６で、画像の隅を検出する。ステップＳ２０７で、画像の隅にマークを追加する。
【００９９】
こうして作成された画像データは、携帯型表示端末で自動拡大表示させた場合でも余白を削除されずに表示出来るだけでなく、ユーザーの希望する方向に寄せることが出来、表示画面と同じ縦横比の最大限大きな画像を表示することが出来る。
【０１００】
本実施形態では画像を上に寄せる場合を示したが、ユーザーが端末を持って使用する場合、下側を持つ人,左側を持つ人など、持つ位置は様々である。
【０１０１】
そこで、下側を持つ人にとつては画面下側が指で隠れ易いので、画像が上寄せで表示された方が見易いと考えられ、同様に、左側を持つ人にとつては画面左側が指で隠れ易いので、画像が右寄せで表示された方が見易いと考えられる。そこで、ユーザーの望む方向に画像を寄せてから余白を追加し、画像の隅にマークを追加することで、見易い画像を提供出来る。
【０１０２】
なお、本実施形態の構成は実施形態１の構成に追加することが出来るため、実施形態１で記載した効果に実施形態２で記載した効果を追加させることが出来る。例えば、実施形態１で、元の画像データの偶数ページ、奇数ページでマークを追加する位置を変更し、綴じしろを表示させないようにすることで、画像の表示位置を揃えた例では、先ず綴じしろのぶんの余白を削除した画像データを作成してから、実施形態２を実施することで、偶数ページ、奇数ページで表示位置が同じで、さらにユーザーの希望する方向に寄せた見易い画像を作成することが出来る。
【０１０３】
＜実施形態３＞
小説などを裁断してスキャンした画像データなどは、全てのページに共通量の余白がついている場合がある。共通量の余白であれば全てのページから削除して表示させた方が、中央部分の画像が拡大表示されて見易いと考えられる。そこで、画像の端部から共通量の余白ぶんだけ内側にマークを追加することで、端末で自動拡大表示させた時に中央部分が大きく拡大され見易い画像を作成する。
【０１０４】
なお、綴じしろの影響で、偶数ページと奇数ページの余白量が異なる場合がある。例えば横方向にページを送る書籍であれば、左右方向の余白量は偶数ページと奇数ページで別に求めて、上下方向の余白量は偶数ページと奇数ページを共通にしても良い。
【０１０５】
本実施形態に係るシステムの構成例について、図９のブロック図を用いて説明する。図９に示すように、本実施形態に係るシステム３００は、実施形態１のシステム１００に加えて、余白量検出部３０１を有することが特徴となる。余白量検出部３０１は、実施形態１の構成の四隅検出部１０２とマーク追加部１０３の間に入る。
【０１０６】
余白量検出部３０１が余白量を検出する動作を、図１０のフローチャートを用いて説明する。余白が淡色で,画像データが濃色といったように、余白と画像データの濃度は異なる。
【０１０７】
そこで、ステップＳ３０１で、画像端部から中央部に向かって濃度を調べる。ステップＳ３０２で、濃度がある既定値以上変化したかを判断する。変化した場合は、ステップＳ３０３で位置を濃度変化点として記録する。
【０１０８】
この濃度変化点を収集し、画像端からの距離が最小の位置が、そのページの余白量を表わす位置となる。しかし、ノイズ成分やゴミが写ってしまった場合にそれらを画像データと誤検知してしまうことが考えられるので、例えば最小値から一定数のデータは無視する方法が考えられる。
【０１０９】
他には、変化点のデータがあるばらつき範囲内に一定数以上ある場合(例えば文字1個ぶんのデータがある場合)に、余白量を表わす位置とする方法も考えられる。余白はページの上下左右に存在するため、濃度変化点も上下左右それぞれ求め、余白量を求めることになる。
【０１１０】
余白量は複数ページに亘って検出する。検出するページ数はユーザーがあらかじめ設定出来るようにしておき、例えば１０ページぶんだけ余白量を検出するようにしておくことで、処理時間を短縮出来るようにしても良い。もちろん、全てのページの余白量を検出することで、処理時間はかかるが余白量の検出精度を向上させても良い。
【０１１１】
各ページの上下左右にある余白量を、複数ページに亘って検出した結果から、全ページ共通の余白量を求める。例えば上下左右それぞれの最小値を用いて、共通の余白量としても良い。他にはヒストグラムを作成し、最も出現回数が多い値を共通の余白量として用いても良いし、その値から一定量端部に移動した位置を共通の余白量としても良い。
【０１１２】
マーク追加部１０３は、余白量検出部３１が求めた共通の余白量を用いて、全てのページに端部から余白量だけ内側の位置にマークを追加する。結果、端末で自動拡大表示させた時に、共通量の余白を削除してから表示させることが出来るので、各ページで拡大率が変わらず、且つ中央の画像部分を大きく表示出来る見易い画像を作成することが出来る。
【０１１３】
なお、挿絵ページなどは、他の文章ページとは余白量が大きく異なる場合もある。このため、例えば余白部分に他のページと大きく異なる画像データがある場合には挿絵ページだと判断し、余白を削除せずにマークを追加するようにしても良い。もしくは、ユーザーが挿絵ページを指定出来るようにしておき、マーク追加位置を変更出来るようにしても良い。
【０１１４】
＜実施形態４＞
画像読取装置で画像を読み取る時に原稿が傾いてしまったために、読み取った画像も傾いている場合がある。
【０１１５】
読取画像サイズを定型（Ａ４など）に指定している場合は、原稿が傾いてしまった場合、原稿の画像がはみ出し、余白量が他のページと異なってしまう場合がある。傾いたままの画像の隅にマークを追加してしまうと、端末で自動拡大表示させたときに小さい画像になってしまうといったような、意図しない拡大率で表示されてしまう可能性がある。
【０１１６】
また、読取画像サイズを自動サイズ（原稿のサイズに合わせて画像のサイズを決定する）に設定している場合は、原稿が傾いていると、画像が大きくなり、余白量が他のページと比べて非常に多くなってしまう場合がある。こちらも、傾いたままの画像の隅にマークを追加してしまうと、端末で自動拡大表示させたときに非常に小さい画像になってしまうといったような、意図しない拡大率で表示されてしまう可能性がある。
【０１１７】
そこで先ず、本実施例の構成では、画像の傾きを検知して補正する（斜行補正処理と呼ぶことにする）を行う。
【０１１８】
画像の傾きを補正してから、画像の隅にマークを追加することで、傾いていない画像と同様の余白量になり、自動拡大表示させても見易い画像を作ることが出来る。
【０１１９】
＜実施形態５＞
実施形態１や実施形態３で、画像の隅よりも内側にマークを追加する例を示した。マークより外側は余白であり、端末の自動拡大表示によって削除される。しかし、マークより外側にゴミなどの画像データがあった場合には、端末で自動拡大表示させた時にゴミを画像と認識してしまい、端末で自動拡大表示させたときに小さい画像になってしまうといったような、意図しない拡大率で表示されてしまう可能性がある。
【０１２０】
そこで、追加したマークより外側の余白部分に対して、ゴミなどの画像データを除去するために、孤立点除去処理を行う。
【０１２１】
結果、ゴミなどの突発的に入った画像データを除去出来るので、ゴミを画像と認識されることが無くなり、意図しない拡大率で表示されてしまうことを防止することが出来る。
【０１２２】
以上本発明を実施形態１〜５に基づいて詳細に説明したが、本発明は上述した実施形態１〜５に限定されるものではない。
【０１２３】
例えば、本発明は次のような形態も含まれる。
【０１２４】
本発明の一態様としては、原稿の表画像データ及び裏画像データを取得する取得手段と、前記取得手段が取得する各画像データの四隅のうち２つ以上の隅部にマークを付与するマーク付与手段と、前記マーク付与手段によるマーク付与の位置を設定するマーク位置設定手段と、を備え、前記マーク位置設定手段は、前記表画像データに付与する表マークの位置と、前記裏画像データに付与する裏マークの位置とが表裏で異なるように設定可能であることを特徴とする画像処理装置にある。
かかる本発明の態様によれば、表裏画像に付与するマーク位置を任意に設定できるため、その後の表示をマークに基づいて行えば、不揃いな表示を回避できる。
【０１２５】
また、上記本発明では、前記取得手段が取得する各画像データに対して余白領域を追加する余白追加手段を更に備え、前記マーク付与手段は、前記余白追加手段により余白が追加された後の画像データに対し、前記マーク位置設定手段の設定に基づく位置にマークを付与することを特徴としてもよい。
かかる本発明の態様によれば、余白を付けた後の画像データに対する任意の位置にマークを付与することができる。
【０１２６】
また、上記本発明では、前記マーク付与手段は、前記取得手段が取得する各画像データの余白量に基づいて、前記各画像データの隅から内側の位置であって、前記マーク位置設定手段の設定に基づく位置にマークを付与することを特徴としてもよい。
かかる本発明の態様によれば、余白量を考慮してマークを付与することができる。
【０１２７】
また、上記本発明では、前記取得手段が取得する各画像データの傾きに基づいて斜行補正を行う斜行補正手段を更に備え、前記マーク付与手段は、前記斜行補正手段の補正後の画像データに対し、前記マーク位置設定手段の設定に基づく位置にマークを付与することを特徴としてもよい。
かかる本発明の態様によれば、斜行補正後の画像に対して適切なマークを付与することができる。
【０１２８】
また、上記本発明では、前記取得手段が取得する各画像データに含まれる孤立点を除去する孤立点除去手段を更に備え、前記孤立点除去手段は、前記マーク付与手段が付与したマークを基準としてマークの外側の領域に存在する孤立点を除去することを特徴としてもよい。
かかる本発明の態様によれば、マークの外側にある孤立点を効率よく除去できる。なお、マークの内側にある孤立点のみを除去するようにしてもよい。
【０１２９】
なお、本発明は、上記画像処理装置を備え、原稿を搬送しながら画像を読み取って得た画像データに対して前記画像処理装置により画像処理を施すことを特徴とする画像読取装置についても広く対象とする。
かかる本発明の態様によれば、画像読取装置においてマークを付与できるため、画像を取得した外部端末（スマートフォンやコンピュータ）のディスプレイにおいて画像表示が見やすくできる。
【０１３０】
なお、本発明は、原稿から画像を読み取る画像読取装置と、前記画像読取装置に接続された情報処理装置とから構成され、上記画像処理装置が前記情報処理装置により構成されることを特徴とする画像読取システムについても広く対象とする。
かかる本発明の態様によれば、情報処理装置で表示前の画像データにマークを付与し、そのマークを指標としてサイズ調整された画像データをディスプレイ等で表示することが可能となる。
【図１】
2017208626.tif 000003
【図２】
2017208626.tif 000004
【図３】
2017208626.tif 000005
【図４】
2017208626.tif 000006
【図５】
2017208626.tif 000007
【図６】
2017208626.tif 000008
【図７】
2017208626.tif 000009
【図８】
2017208626.tif 000010
【図９】
2017208626.tif 000011
【図１０】
2017208626.tif 000012